(57)【要約】【課題】底面部と、内側スリーブ状部を有し、側面部の一部が分離部として他の部分と切目線を介して分離可能な内箱部と、内箱部を覆う外箱部で、外側スリーブ状部と、蓋部とを有し、分離部が設けられた内側側面部に対応した外側側面部に分離部が接着されている外箱部と、を有し、２つの内箱部を同時に収納することができる包装箱を提供する。【解決手段】包装箱Ｐは、内箱部Ａ１、Ａ２と、外箱部Ｂとを有し、内箱部Ａ１は、分離部３４を介して内箱部Ａ２と接着され、分離部２４を介して側面部２２０の片部２２４と接着され、内箱部Ａ２は、分離部１２４を介して側面部２３０の片部と接着されている。正面部２１０と背面部２４０には、折れ線Ｃ２５−１、Ｃ２６−１が形成されるとともに、上面部２６０、２９０には、折れ線Ｃ２５−２、Ｃ２６−２が形成され、包装箱Ｐの折畳み状態において、これらは折れ線を介して二つ折りとされる。【選択図】図３
0003190139.tif 000002
【実用新案登録請求の範囲】
【請求項１】
包装箱であって、
第１内箱部（Ａ１）と第２内箱部（Ａ２）とを有する内箱部群（Ａ）と、外箱部（Ｂ）とを有し、
第１内箱部が、第１底面部（５０）と、第１底面部の各辺から立設する第１内側スリーブ状部で、第１内側正面部（１０）と、第１内側右側面部（２０）と、第１内側左側面部（３０）と、第１内側背面部（４０）とからなる第１内側スリーブ状部（５）とを有し、上部が開口した箱体であり、
第２内箱部が、第２底面部（１５０）と、第２底面部の各辺から立設する第２内側スリーブ状部で、第２内側正面部（１１０）と、第２内側右側面部（１３０）と、第２内側左側面部（１２０）と、第２内側背面部（１４０）とからなる第２内側スリーブ状部（１０５）とを有し、上部が開口した箱体であり、
第１内側左側面部と第２内側右側面部とが隣接して設けられ、第１内側左側面部と第２内側右側面部のいずれか一方である第１分離部形成内側側面部（３０）において、その一部が第１分離部（３４）として第１分離部形成内側側面部における分離部以外の部分である第１本体部（３２）と第１切目線（３４ａ）を介して分離可能に形成されるとともに、該第１分離部が内側第１内側側面部と内側第２内側側面部の他方（１３０）に接着され、
第１内側右側面部（２０）において、その一部が第２分離部（２４）として第２分離部以外の部分である第２本体部（２２）と第２切目線（２４ａ）を介して分離可能に形成されるとともに、
第２内側左側面部（１２０）において、その一部が第３分離部（１２４）として第３分離部以外の第３本体部（１２２）と第３切目線（１２４ａ）を介して分離可能に形成されている内箱部群（Ａ）と、
外箱部が、内箱部群の外側の面に沿って設けられた外側スリーブ状部で、第１内箱部の第１内側正面部の外側の面と第２内箱部の第２内側正面部の外側の面とに沿って形成された外側正面部（２１０）と、第１内側右側面部の外側の面に沿って形成された外側右側面部（２２０）と、第２内側左側面部の外側の面に沿って形成された外側左側面部（２３０）と、第１内箱部の第１内側背面部の外側の面と第２内箱部の第２内側背面部の外側の面とに沿って形成された外側背面部（２４０）とを有する外側スリーブ状部（２０５）と、外側スリーブ状部の上端から折れ線を介して連設された蓋部（２６０、２７０、２８０、２９０）とを有し、
外側右側面部に第２分離部が接着され、外側右側面部における第２分離部が接着された領域を含み第４切目線（２２２）を介して形成された第１片部（２２４）が該外側右側面部の他の部分に対して回動可能に形成されるとともに、
外側左側面部に第３分離部が接着され、外側左側面部における第３分離部が接着された領域を含み第５切目線（２３２）を介して形成された第２片部（２３４）が該外側左側面部の他の部分に対して回動可能に形成され、
第１内箱部と第２内箱部と外箱部のそれぞれが、１枚のシート状のブランクにより形成されていることを特徴とする包装箱。
【請求項２】
外側正面部と外側背面部には、二つ折りとするための縦方向の折れ線が形成され、包装箱の折畳み状態においては、第１内側正面部と第１内側左側面部との間の角度が直角より小さいとともに第１内側背面部と第１内側右側面部との間の角度が直角より小さく、第２内側正面部と第２内側右側面部との間の角度が直角より小さいとともに第１内側背面部と第２内側左側面部との間の角度が直角より小さい状態で、内箱部群が折り畳まれているとともに、外側正面部と外側背面部とが、該縦方向の折れ線を介して二つ折りとなっている状態で、外箱部が折り畳まれていることを特徴とする請求項１に記載の包装箱。
【請求項３】
第１内側背面部と第２内側背面部のいずれか一方である第４分離部形成内側背面部（４０）において、その一部が第４分離部（４４）として第４分離部形成内側背面部における分離部以外の部分である第４本体部（４２）と第６切目線（４４ａ）を介して分離可能に形成されるとともに、包装箱の折畳み状態において、該第４分離部が第１内側背面部と第２内側背面部の他方（１４０）に接着されていることを特徴とする請求項２に記載の包装箱。
【請求項４】
外側正面部と外側背面部には、二つ折りとするための縦方向の折れ線が形成され、包装箱の折畳み状態においては、第１内側正面部と第１内側右側面部との間の角度が直角より小さいとともに第１内側背面部と第１内側左側面部との間の角度が直角より小さく、第２内側正面部と第２内側左側面部との間の角度が直角より小さいとともに第１内側背面部と第２内側右側面部との間の角度が直角より小さく、外側正面部と外側背面部とが、該縦方向の折れ線を介して二つ折りとなっていることを特徴とする請求項１に記載の包装箱。
【請求項５】
外箱部の蓋部は、外側正面部の上端から連設された第１上面部と、外側背面部の上端から連設された第２上面部とを有し、第１上面部には、二つ折りとするための折れ線であって、外側正面部における縦方向の折れ線から連設された折れ線が形成されるとともに、第２上面部には、二つ折りとするための折れ線であって、外側背面部における縦方向の折れ線から連設された折れ線が形成され、包装箱の折畳み状態において、第１上面部と第２上面部とが該折れ線を介して二つ折りとされることを特徴とする請求項２又は３又は４に記載の包装箱。
【請求項６】
第１底面部が、ワンタッチ底により形成され、第１内側正面部の下辺から連設された第１底面部第１片部（６０）と、第１内側右側面部の下辺から連設された第１底面部第２片部（７０）と、第１内側左側面部の下辺から連設された第１底面部第３片部（８０）と、第１内側背面部の下辺から連設された第１底面部第４片部（９０）とを有し、
第１底面部第１片部と第１底面部第２片部と第１底面部第３片部と第１底面部第４片部における隣接する２つの片部である第１片部対の一方における他方の側の部分である第１端部領域が折れ線を介して折曲げ可能であり、該第１端部領域が第１片部対における他方に接着され、
第１底面部第１片部と第１底面部第２片部と第１底面部第３片部と第１底面部第４片部における第１片部対以外の互いに隣接する２つの片部である第２片部対の一方における他方の側の部分である第２端部領域が折れ線を介して折曲げ可能であり、該第２端部領域が第２片部対における他方に接着され、
第２底面部が、ワンタッチ底により形成され、第２内側正面部の下辺から連設された第２底面部第１片部（１６０）と、第２内側左側面部の下辺から連設された第２底面部第２片部（１７０）と、第２内側右側面部の下辺から連設された第２底面部第３片部（１８０）と、第２内側背面部の下辺から連設された第２底面部第４片部（１９０）とを有し、
第２底面部第１片部と第２底面部第２片部と第２底面部第３片部と第２底面部第４片部における隣接する２つの片部である第３片部対の一方における他方の側の部分である第３端部領域が折れ線を介して折曲げ可能であり、該第３端部領域が第３片部対における他方に接着され、
第２底面部第１片部と第２底面部第２片部と第２底面部第３片部と第２底面部第４片部における第３片部対以外の互いに隣接する２つの片部である第４片部対の一方における他方の側の部分である第４端部領域が折れ線を介して折曲げ可能であり、該第４端部領域が第４片部対における他方に接着されていることを特徴とする請求項１又は２又は３又は４又は５に記載の包装箱。
【請求項７】
包装箱であって、
第１内箱部（Ａ１）と第２内箱部（Ａ２）とを有する内箱部群（Ａ）と、外箱部（Ｂ）とを有し、
第１内箱部が、第１底面部（５０）と、第１底面部の各辺から立設する第１内側スリーブ状部で、第１内側正面部（１０）と、第１内側右側面部（２０）と、第１内側左側面部（３０）と、第１内側背面部（４０）とからなる第１内側スリーブ状部（５）とを有し、上部が開口した箱体であり、
第２内箱部が、第２底面部（１５０）と、第２底面部の各辺から立設する第２内側スリーブ状部で、第２内側正面部（１１０）と、第２内側右側面部（１３０）と、第２内側左側面部（１２０）と、第２内側背面部（１４０）とからなる第２内側スリーブ状部（１０５）とを有し、上部が開口した箱体であり、
第１内側左側面部と第２内側右側面部とが隣接して設けられ、第１内側左側面部と第２内側右側面部のいずれか一方である第１分離部形成内側側面部（３０）において、その一部が第１分離部（３４）として第１分離部形成内側側面部における分離部以外の部分である第１本体部（３２）と第１切目線（３４ａ）を介して分離可能に形成されるとともに、該第１分離部が内側第１内側側面部と内側第２内側側面部の他方（１３０）に接着され、
第１内側右側面部（２０）において、その一部が第２分離部（２４）として第２分離部以外の部分である第２本体部（２２）と第２切目線（２４ａ）を介して分離可能に形成されるとともに、
第２内側左側面部（１２０）において、その一部が第３分離部（１２４）として第３分離部以外の第３本体部（１２２）と第３切目線（１２４ａ）を介して分離可能に形成され、
第１底面部が、ワンタッチ底により形成され、第１内側正面部の下辺から連設された第１底面部第１片部（６０）と、第１内側右側面部の下辺から連設された第１底面部第２片部（７０）と、第１内側左側面部の下辺から連設された第１底面部第３片部（８０）と、第１内側背面部の下辺から連設された第１底面部第４片部（９０）とを有し、
第１底面部第１片部と第１底面部第２片部と第１底面部第３片部と第１底面部第４片部における隣接する２つの片部である第１片部対の一方における他方の側の部分である第１端部領域が折れ線を介して折曲げ可能であり、該第１端部領域が第１片部対における他方に接着され、
第１底面部第１片部と第１底面部第２片部と第１底面部第３片部と第１底面部第４片部における第１片部対以外の互いに隣接する２つの片部である第２片部対の一方における他方の側の部分である第２端部領域が折れ線を介して折曲げ可能であり、該第２端部領域が第２片部対における他方に接着され、
第２底面部が、ワンタッチ底により形成され、第２内側正面部の下辺から連設された第２底面部第１片部（１６０）と、第２内側左側面部の下辺から連設された第２底面部第２片部（１７０）と、第２内側右側面部の下辺から連設された第２底面部第３片部（１８０）と、第２内側背面部の下辺から連設された第２底面部第４片部（１９０）とを有し、
第２底面部第１片部と第２底面部第２片部と第２底面部第３片部と第２底面部第４片部における隣接する２つの片部である第３片部対の一方における他方の側の部分である第３端部領域が折れ線を介して折曲げ可能であり、該第３端部領域が第３片部対における他方に接着され、
第２底面部第１片部と第２底面部第２片部と第２底面部第３片部と第２底面部第４片部における第３片部対以外の互いに隣接する２つの片部である第４片部対の一方における他方の側の部分である第４端部領域が折れ線を介して折曲げ可能であり、該第４端部領域が第４片部対における他方に接着されている内箱部群（Ａ）と、
外箱部が、内箱部群の外側の面に沿って設けられた外側スリーブ状部で、第１内箱部の第１内側正面部の外側の面と第２内箱部の第２内側正面部の外側の面とに沿って形成された外側正面部（２１０）と、第１内側右側面部の外側の面に沿って形成された外側右側面部（２２０）と、第２内側左側面部の外側の面に沿って形成された外側左側面部（２３０）と、第１内箱部の第１内側背面部の外側の面と第２内箱部の第２内側背面部の外側の面とに沿って形成された外側背面部（２４０）とを有する外側スリーブ状部（２０５）と、外側スリーブ状部の上端から折れ線を介して連設された蓋部で、外側正面部の上端から連設された第１上面部（２６０）と、外側背面部の上端から連設された第２上面部（２９０）とを有する蓋部（２６０、２７０、２８０、２９０）とを有し、
外側右側面部に第２分離部が接着され、外側右側面部における第２分離部が接着された領域を含み第４切目線（２２２）を介して形成された第１片部（２２４）が該外側右側面部の他の部分に対して回動可能に形成されるとともに、
外側左側面部に第３分離部が接着され、外側左側面部における第３分離部が接着された領域を含み第５切目線（２３２）を介して形成された第２片部（２３４）が該外側左側面部の他の部分に対して回動可能に形成され、
外側正面部と外側背面部には、二つ折りとするための縦方向の折れ線が形成され、第１上面部には、二つ折りとするための折れ線であって、外側正面部における縦方向の折れ線から連設された折れ線が形成されるとともに、第２上面部には、二つ折りとするための折れ線であって、外側背面部における縦方向の折れ線から連設された折れ線が形成され、包装箱の折畳み状態においては、第１内側正面部と第１内側左側面部との間の角度が直角より小さいとともに第１内側背面部と第１内側右側面部との間の角度が直角より小さく、第２内側正面部と第２内側右側面部との間の角度が直角より小さいとともに第１内側背面部と第２内側左側面部との間の角度が直角より小さい状態で、内箱部群が折り畳まれているとともに、外側正面部と外側背面部とが、該縦方向の折れ線を介して二つ折りとされるとともに、第１上面部と第２上面部とが、該二つ折りとするための折れ線を介して二つ折りとされている状態で、外箱部が折り畳まれており、
第１内側背面部と第２内側背面部のいずれか一方である第４分離部形成内側背面部（４０）において、その一部が第４分離部（４４）として第４分離部形成内側背面部における分離部以外の部分である第４本体部（４２）と第６切目線（４４ａ）を介して分離可能に形成されるとともに、包装箱の折畳み状態において、該第４分離部が第１内側背面部と第２内側背面部の他方（１４０）に接着され、
第１内箱部と第２内箱部と外箱部のそれぞれが、１枚のシート状のブランクにより形成されていることを特徴とする包装箱。
【考案の詳細な説明】
【技術分野】
【０００１】
本考案は、包装箱に関するものであり、複数の商品を集合して包装するとともに、包装箱の一部を分離させて商品を店頭等に陳列する包装箱に関するものである。
【背景技術】
【０００２】
出願人は、底面部と、内側スリーブ状部を有する内箱部で、内側スリーブ状部の内側側面部の一部が分離部として他の部分と切目線を介して分離可能な内箱部と、内箱部を覆う外箱部で、内側スリーブ状部を構成する各内側側面部に対応して外側側面部を有する外側スリーブ状部と、蓋部とを有し、分離部が設けられた内側側面部に対応した外側側面部には、切目線により形成された片部が分離部と接着されている外箱部と、を有し、外箱部の片部を外側に回動することにより分離部が片部に接着した状態のまま内箱部から分離し、その後、外箱部を上方に引き上げることにより、内箱部に収納された状態の商品を陳列することができる包装箱として特許文献１に示す先行技術文献についての出願を行っている。
【先行技術文献】
【特許文献】
【０００３】
【特許文献１】実用新案登録第３１３９９４８号公報
【考案の概要】
【考案が解決しようとする課題】
【０００４】
しかし、特許文献１に記載の包装箱では、１つの内箱部が設けられるので、複数の内箱部を運ぶ場合には、内箱部の個数分の包装箱を用いる必要があった。例えば、２つの内箱部を運ぶ場合には、２つの包装箱を用いる必要があった。すると、内箱部の個数分の包装箱が必要になるため、その分輸送費が掛かり、さらには、包装箱それ自体のコストも掛かることになる。
【０００５】
そこで、本考案は、底面部と、内側スリーブ状部を有する内箱部で、内側スリーブ状部の側面部の一部が分離部として他の部分と切目線を介して分離可能な内箱部と、内箱部を覆う外箱部で、外側スリーブ状部と、蓋部とを有し、分離部が設けられた内側側面部に対応した外側側面部に分離部が接着されている外箱部と、を有する包装箱であって、２つの内箱部を同時に収納することができる包装箱を提供することを目的とするものである。
【課題を解決するための手段】
【０００６】
本考案は上記問題点を解決するために創作されたものであって、第１には、包装箱であって、第１内箱部（Ａ１）と第２内箱部（Ａ２）とを有する内箱部群（Ａ）と、外箱部（Ｂ）とを有し、第１内箱部が、第１底面部（５０）と、第１底面部の各辺から立設する第１内側スリーブ状部で、第１内側正面部（１０）と、第１内側右側面部（２０）と、第１内側左側面部（３０）と、第１内側背面部（４０）とからなる第１内側スリーブ状部（５）とを有し、上部が開口した箱体であり、第２内箱部が、第２底面部（１５０）と、第２底面部の各辺から立設する第２内側スリーブ状部で、第２内側正面部（１１０）と、第２内側右側面部（１３０）と、第２内側左側面部（１２０）と、第２内側背面部（１４０）とからなる第２内側スリーブ状部（１０５）とを有し、上部が開口した箱体であり、第１内側左側面部と第２内側右側面部とが隣接して設けられ、第１内側左側面部と第２内側右側面部のいずれか一方である第１分離部形成内側側面部（３０）において、その一部が第１分離部（３４）として第１分離部形成内側側面部における分離部以外の部分である第１本体部（３２）と第１切目線（３４ａ）を介して分離可能に形成されるとともに、該第１分離部が内側第１内側側面部と内側第２内側側面部の他方（１３０）に接着され、第１内側右側面部（２０）において、その一部が第２分離部（２４）として第２分離部以外の部分である第２本体部（２２）と第２切目線（２４ａ）を介して分離可能に形成されるとともに、第２内側左側面部（１２０）において、その一部が第３分離部（１２４）として第３分離部以外の第３本体部（１２２）と第３切目線（１２４ａ）を介して分離可能に形成されている内箱部群（Ａ）と、外箱部が、内箱部群の外側の面に沿って設けられた外側スリーブ状部で、第１内箱部の第１内側正面部の外側の面と第２内箱部の第２内側正面部の外側の面とに沿って形成された外側正面部（２１０）と、第１内側右側面部の外側の面に沿って形成された外側右側面部（２２０）と、第２内側左側面部の外側の面に沿って形成された外側左側面部（２３０）と、第１内箱部の第１内側背面部の外側の面と第２内箱部の第２内側背面部の外側の面とに沿って形成された外側背面部（２４０）とを有する外側スリーブ状部（２０５）と、外側スリーブ状部の上端から折れ線を介して連設された蓋部（２６０、２７０、２８０、２９０）とを有し、外側右側面部に第２分離部が接着され、外側右側面部における第２分離部が接着された領域を含み第４切目線（２２２）を介して形成された第１片部（２２４）が該外側右側面部の他の部分に対して回動可能に形成されるとともに、外側左側面部に第３分離部が接着され、外側左側面部における第３分離部が接着された領域を含み第５切目線（２３２）を介して形成された第２片部（２３４）が該外側左側面部の他の部分に対して回動可能に形成され、第１内箱部と第２内箱部と外箱部のそれぞれが、１枚のシート状のブランクにより形成されている（「第１内箱部と第２内箱部と外箱部とが、それぞれ１枚のシート状のブランクにより形成されている」としてもよい）ことを特徴とする。
【０００７】
第１の構成の包装箱においては、外箱部内に２つの内箱部が設けられているので、２つの内箱部を同時に収納することができ、輸送費を軽減することができ、さらには、包装箱としても１つでよいので、包装箱のコストも低減することができる。
【０００８】
また、第２には、上記第１の構成において、外側正面部と外側背面部には、二つ折りとするための縦方向の折れ線が形成され、包装箱の折畳み状態においては、第１内側正面部と第１内側左側面部との間の角度が直角より小さいとともに第１内側背面部と第１内側右側面部との間の角度が直角より小さく、第２内側正面部と第２内側右側面部との間の角度が直角より小さいとともに第１内側背面部と第２内側左側面部との間の角度が直角より小さい状態で、内箱部群が折り畳まれているとともに、外側正面部と外側背面部とが、該縦方向の折れ線を介して二つ折りとなっている状態で、外箱部が折り畳まれていることを特徴とする。第２の構成の包装箱においては、２つの内箱部を有する構成であるにも拘わらず、平板状に折り畳むことができ、包装箱自体の保管や運搬に際して省スペースを図ることができる。
【０００９】
また、第３には、上記第２の構成において、第１内側背面部と第２内側背面部のいずれか一方である第４分離部形成内側背面部（４０）において、その一部が第４分離部（４４）として第４分離部形成内側背面部における分離部以外の部分である第４本体部（４２）と第６切目線（４４ａ）を介して分離可能に形成されるとともに、包装箱の折畳み状態において、該第４分離部が第１内側背面部と第２内側背面部の他方（１４０）に接着されていることを特徴とする。よって、内箱部群の折り畳み状態が維持され、特に、２つの内箱部が設けられているにも拘わらず、内箱部群が折り畳まれた状態を維持させておくことができる。
【００１０】
また、第４には、上記第１の構成において、外側正面部と外側背面部には、二つ折りとするための縦方向の折れ線が形成され、包装箱の折畳み状態においては、第１内側正面部と第１内側右側面部との間の角度が直角より小さいとともに第１内側背面部と第１内側左側面部との間の角度が直角より小さく、第２内側正面部と第２内側左側面部との間の角度が直角より小さいとともに第１内側背面部と第２内側右側面部との間の角度が直角より小さく、外側正面部と外側背面部とが、該縦方向の折れ線を介して二つ折りとなっていることを特徴とする。第４の構成の包装箱においては、２つの内箱部を有する構成であるにも拘わらず、平板状に折り畳むことができ、包装箱自体の保管や運搬に際して省スペースを図ることができる。
【００１１】
また、第５には、上記第２から第４までのいずれかの構成において、外箱部の蓋部は、外側正面部の上端から連設された第１上面部と、外側背面部の上端から連設された第２上面部とを有し、第１上面部には、二つ折りとするための折れ線であって、外側正面部における縦方向の折れ線から連設された折れ線が形成されるとともに、第２上面部には、二つ折りとするための折れ線であって、外側背面部における縦方向の折れ線から連設された折れ線が形成され、包装箱の折畳み状態において、第１上面部と第２上面部とが該折れ線を介して二つ折りとされることを特徴とする。
【００１２】
また、第６には、上記第１から第５までのいずれかの構成において、第１底面部が、ワンタッチ底により形成され、第１内側正面部の下辺から連設された第１底面部第１片部（６０）と、第１内側右側面部の下辺から連設された第１底面部第２片部（７０）と、第１内側左側面部の下辺から連設された第１底面部第３片部（８０）と、第１内側背面部の下辺から連設された第１底面部第４片部（９０）とを有し、第１底面部第１片部と第１底面部第２片部と第１底面部第３片部と第１底面部第４片部における隣接する２つの片部である第１片部対の一方における他方の側の部分である第１端部領域が折れ線を介して折曲げ可能であり、該第１端部領域が第１片部対における他方に接着され、第１底面部第１片部と第１底面部第２片部と第１底面部第３片部と第１底面部第４片部における第１片部対以外の互いに隣接する２つの片部である第２片部対の一方における他方の側の部分である第２端部領域が折れ線を介して折曲げ可能であり、該第２端部領域が第２片部対における他方に接着され、第２底面部が、ワンタッチ底により形成され、第２内側正面部の下辺から連設された第２底面部第１片部（１６０）と、第２内側左側面部の下辺から連設された第２底面部第２片部（１７０）と、第２内側右側面部の下辺から連設された第２底面部第３片部（１８０）と、第２内側背面部の下辺から連設された第２底面部第４片部（１９０）とを有し、第２底面部第１片部と第２底面部第２片部と第２底面部第３片部と第２底面部第４片部における隣接する２つの片部である第３片部対の一方における他方の側の部分である第３端部領域が折れ線を介して折曲げ可能であり、該第３端部領域が第３片部対における他方に接着され、第２底面部第１片部と第２底面部第２片部と第２底面部第３片部と第２底面部第４片部における第３片部対以外の互いに隣接する２つの片部である第４片部対の一方における他方の側の部分である第４端部領域が折れ線を介して折曲げ可能であり、該第４端部領域が第４片部対における他方に接着されていることを特徴とする。
【００１３】
また、第７には、包装箱であって、第１内箱部（Ａ１）と第２内箱部（Ａ２）とを有する内箱部群（Ａ）と、外箱部（Ｂ）とを有し、第１内箱部が、第１底面部（５０）と、第１底面部の各辺から立設する第１内側スリーブ状部で、第１内側正面部（１０）と、第１内側右側面部（２０）と、第１内側左側面部（３０）と、第１内側背面部（４０）とからなる第１内側スリーブ状部（５）とを有し、上部が開口した箱体であり、第２内箱部が、第２底面部（１５０）と、第２底面部の各辺から立設する第２内側スリーブ状部で、第２内側正面部（１１０）と、第２内側右側面部（１３０）と、第２内側左側面部（１２０）と、第２内側背面部（１４０）とからなる第２内側スリーブ状部（１０５）とを有し、上部が開口した箱体であり、第１内側左側面部と第２内側右側面部とが隣接して設けられ、第１内側左側面部と第２内側右側面部のいずれか一方である第１分離部形成内側側面部（３０）において、その一部が第１分離部（３４）として第１分離部形成内側側面部における分離部以外の部分である第１本体部（３２）と第１切目線（３４ａ）を介して分離可能に形成されるとともに、該第１分離部が内側第１内側側面部と内側第２内側側面部の他方（１３０）に接着され、第１内側右側面部（２０）において、その一部が第２分離部（２４）として第２分離部以外の部分である第２本体部（２２）と第２切目線（２４ａ）を介して分離可能に形成されるとともに、第２内側左側面部（１２０）において、その一部が第３分離部（１２４）として第３分離部以外の第３本体部（１２２）と第３切目線（１２４ａ）を介して分離可能に形成され、第１底面部が、ワンタッチ底により形成され、第１内側正面部の下辺から連設された第１底面部第１片部（６０）と、第１内側右側面部の下辺から連設された第１底面部第２片部（７０）と、第１内側左側面部の下辺から連設された第１底面部第３片部（８０）と、第１内側背面部の下辺から連設された第１底面部第４片部（９０）とを有し、第１底面部第１片部と第１底面部第２片部と第１底面部第３片部と第１底面部第４片部における隣接する２つの片部である第１片部対の一方における他方の側の部分である第１端部領域が折れ線を介して折曲げ可能であり、該第１端部領域が第１片部対における他方に接着され、第１底面部第１片部と第１底面部第２片部と第１底面部第３片部と第１底面部第４片部における第１片部対以外の互いに隣接する２つの片部である第２片部対の一方における他方の側の部分である第２端部領域が折れ線を介して折曲げ可能であり、該第２端部領域が第２片部対における他方に接着され、第２底面部が、ワンタッチ底により形成され、第２内側正面部の下辺から連設された第２底面部第１片部（１６０）と、第２内側左側面部の下辺から連設された第２底面部第２片部（１７０）と、第２内側右側面部の下辺から連設された第２底面部第３片部（１８０）と、第２内側背面部の下辺から連設された第２底面部第４片部（１９０）とを有し、第２底面部第１片部と第２底面部第２片部と第２底面部第３片部と第２底面部第４片部における隣接する２つの片部である第３片部対の一方における他方の側の部分である第３端部領域が折れ線を介して折曲げ可能であり、該第３端部領域が第３片部対における他方に接着され、第２底面部第１片部と第２底面部第２片部と第２底面部第３片部と第２底面部第４片部における第３片部対以外の互いに隣接する２つの片部である第４片部対の一方における他方の側の部分である第４端部領域が折れ線を介して折曲げ可能であり、該第４端部領域が第４片部対における他方に接着されている内箱部群（Ａ）と、外箱部が、内箱部群の外側の面に沿って設けられた外側スリーブ状部で、第１内箱部の第１内側正面部の外側の面と第２内箱部の第２内側正面部の外側の面とに沿って形成された外側正面部（２１０）と、第１内側右側面部の外側の面に沿って形成された外側右側面部（２２０）と、第２内側左側面部の外側の面に沿って形成された外側左側面部（２３０）と、第１内箱部の第１内側背面部の外側の面と第２内箱部の第２内側背面部の外側の面とに沿って形成された外側背面部（２４０）とを有する外側スリーブ状部（２０５）と、外側スリーブ状部の上端から折れ線を介して連設された蓋部で、外側正面部の上端から連設された第１上面部（２６０）と、外側背面部の上端から連設された第２上面部（２９０）とを有する蓋部（２６０、２７０、２８０、２９０）とを有し、外側右側面部に第２分離部が接着され、外側右側面部における第２分離部が接着された領域を含み第４切目線（２２２）を介して形成された第１片部（２２４）が該外側右側面部の他の部分に対して回動可能に形成されるとともに、外側左側面部に第３分離部が接着され、外側左側面部における第３分離部が接着された領域を含み第５切目線（２３２）を介して形成された第２片部（２３４）が該外側左側面部の他の部分に対して回動可能に形成され、外側正面部と外側背面部には、二つ折りとするための縦方向の折れ線が形成され、第１上面部には、二つ折りとするための折れ線であって、外側正面部における縦方向の折れ線から連設された折れ線が形成されるとともに、第２上面部には、二つ折りとするための折れ線であって、外側背面部における縦方向の折れ線から連設された折れ線が形成され、包装箱の折畳み状態においては、第１内側正面部と第１内側左側面部との間の角度が直角より小さいとともに第１内側背面部と第１内側右側面部との間の角度が直角より小さく、第２内側正面部と第２内側右側面部との間の角度が直角より小さいとともに第１内側背面部と第２内側左側面部との間の角度が直角より小さい状態で、内箱部群が折り畳まれているとともに、外側正面部と外側背面部とが、該縦方向の折れ線を介して二つ折りとされるとともに、第１上面部と第２上面部とが、該二つ折りとするための折れ線を介して二つ折りとされている状態で、外箱部が折り畳まれており、第１内側背面部と第２内側背面部のいずれか一方である第４分離部形成内側背面部（４０）において、その一部が第４分離部（４４）として第４分離部形成内側背面部における分離部以外の部分である第４本体部（４２）と第６切目線（４４ａ）を介して分離可能に形成されるとともに、包装箱の折畳み状態において、該第４分離部が第１内側背面部と第２内側背面部の他方（１４０）に接着され、第１内箱部と第２内箱部と外箱部のそれぞれが、１枚のシート状のブランクにより形成されている（「第１内箱部と第２内箱部と外箱部とが、それぞれ１枚のシート状のブランクにより形成されている」としてもよい）ことを特徴とする。
【００１４】
第７の構成の包装箱においては、外箱部内に２つの内箱部が設けられているので、２つの内箱部を同時に収納することができ、輸送費を軽減することができ、さらには、包装箱としても１つでよいので、包装箱のコストも低減することができる。
【００１５】
また、２つの内箱部を有する構成であるにも拘わらず、平板状に折り畳むことができ、包装箱自体の保管や運搬に際して省スペースを図ることができる。特に、包装箱の折畳み状態において、第４分離部が第１内側背面部と第２内側背面部の他方に接着されているので、内箱部群の折り畳み状態が維持され、特に、２つの内箱部が設けられているにも拘わらず、内箱部群が折り畳まれた状態を維持させておくことができる。
【考案の効果】
【００１６】
本考案に基づく底面部と、内側スリーブ状部を有する内箱部で、内側スリーブ状部の側面部の一部が分離部として他の部分と切目線を介して分離可能な内箱部と、内箱部を覆う外箱部で、外側スリーブ状部と、蓋部とを有し、分離部が設けられた内側側面部に対応した外側側面部に分離部が接着されている外箱部と、を有する包装箱において、外箱部内に２つの内箱部が設けられているので、２つの内箱部を同時に収納することができ、輸送費を軽減することができ、さらには、包装箱としても１つでよいので、包装箱のコストも低減することができる。
【図面の簡単な説明】
【００１７】
【図１】本考案の実施例に基づく包装箱の前方斜視図である。
【図２】本考案の実施例に基づく包装箱の後方斜視図である。
【図３】本考案の実施例に基づく包装箱の分解斜視図である。
【図４】本考案の実施例に基づく右側面図である。
【図５】本考案の実施例に基づく包装箱の底面図である。
【図６】内箱部Ａ１の展開図である。
【図７】内箱部Ａ２の展開図である。
【図８】外箱部の展開図である。
【図９】包装箱を折り畳んだ状態を示す平面図である。
【図１０】包装箱を折り畳んだ際の内箱部の折り畳み状態を示す平面図である。
【図１１】包装箱を折り畳んだ際の内箱部の折り畳み状態を示す底面図である。
【図１２】包装箱の使用状態を示す斜視図である。
【図１３】包装箱の使用状態を示す斜視図である。
【図１４】包装箱の使用状態を示す斜視図である。
【図１５】包装箱の使用状態を示す斜視図であり、被収納物を二点鎖線で表した図である。
【図１６】包装箱の使用状態を示す斜視図である。
【考案を実施するための形態】
【００１８】
本考案においては、底面部と、内側スリーブ状部を有する内箱部で、内側スリーブ状部の側面部の一部が分離部として他の部分と切目線を介して分離可能な内箱部と、内箱部を覆う外箱部で、外側スリーブ状部と、蓋部とを有し、分離部が設けられた内側側面部に対応した外側側面部に分離部が接着されている外箱部と、を有する包装箱であって、２つの内箱部を同時に収納することができる包装箱を提供するという目的を以下のようにして実現した。
【００１９】
本考案に基づく包装箱Ｐは、図１〜図８等に示すように構成され、２つの内箱部Ａ１、Ａ２と、外箱部Ｂとを有していて、内箱部（第１内箱部）Ａ１と内箱部（第２内箱部）Ａ２とで、内箱部群Ａが構成される。各内箱部Ａ１、Ａ２と外箱部Ｂのそれぞれが１枚のシート状のブランク（具体的には段ボール（特に、両面段ボール）であり、厚紙等でもよい）により形成されている。なお、両面段ボールにおける中芯の段の方向は、図６〜図８に示す円内に示す方向である。
【００２０】
内箱部Ａ１は、全体に上部が開口した容器状を呈し、図３、図６等に示すように、スリーブ状部（第１内側スリーブ状部）５と、底面部（第１底面部）５０とを有している。スリーブ状部５は、組立て状態では、底面部５０の周囲から立設して形成され、正面部（第１内側正面部）１０と、側面部（第１内側右側面部）２０と、側面部（第１内側左側面部、第１分離部形成内側側面部）３０と、背面部（第１内側背面部、第４分離部形成内側背面部）４０と、糊代部４９とを有していて、その展開状態は、図６に示すように形成されている。
【００２１】
ここで、正面部１０は、方形状の上側に方形状の切欠部を形成した、いわゆる凹形状を呈している。
【００２２】
また、側面部２０は、正面部１０の正面視における右側面側の端部から折れ線Ｃ３を介して連設され、方形状における上側の一部を切り欠いた形状を呈し、側面部２０の上辺は、正面部１０の上辺１０ａから連続して水平方向に形成された直線状の辺部２０ａと、辺部２０ａの背面側の端部から連設され、背面側に上方に傾斜して形成された直線状の辺部２０ｂと、辺部２０ｂの上端から背面側に向けて円弧状に形成された辺部２０ｃと、辺部２０ｃの背面側の端部から水平方向に形成された直線状の辺部２０ｄとを有している。この辺部２０ｄは、背面部４０の上端の縁部の高さと同じに形成されている。この側面部２０は、本体部（第２本体部）２２と、分離部（第２分離部）２４とを有している。
【００２３】
また、分離部２４は、側面部２０に形成された切目線（第２切目線）２４ａと開口部２４ｂにより区画された領域であり、切目線２４ａは、横方向に間隔を介して設けられた円弧状の切目線２４ａ−１、２４ａ−２（切目線２４ａ−１と切目線２４ａ−２とは互いに左右対称に形成されている）と、切目線２４ａ−１の下端と２４ａ−２の下端を結ぶ横方向（側面部２０の下辺と平行な方向）の直線状の切目線２４ａ−３とを有し、開口部２４ｂは、横長の長方形状を呈し、開口部２４ｂにおける一対の角部のうちの正面側の角部と切目線２４ａ−２が接続し、開口部２４ｂにおける一対の角部のうちの背面側の角部と切目線２４ａ−１が接続している。切目線２４ａと開口部２４ｂにより囲まれた領域が分離部２４となる。本体部２２は、側面部２０において分離部２４を除いた領域である。分離部２４は、側面部２０における横方向の略中央で上下方向における中央やや下側の位置に形成されている。ここで、ミシン目状の切目線とは、間隔をおきながら連続して形成された複数の切込みをいう（他においても同じ）。
【００２４】
この分離部２４の形成位置は、外箱部Ｂの片部２２４の裏側の領域であり、分離部２４は片部２２４の裏側に接着され、片部２２４の上端を外側かつ下方に回動させることにより、分離部２４も片部２２４の裏側に接着したまま切目線２４ａが破断されて、分離部２４が本体部２２から分離するように形成されている。分離部２４は、図４に示すように、片部２２４よりも小さく形成されていて、側面視において、分離部２４の外形が片部２２４の外形よりもはみ出すことがない。
【００２５】
また、開口部２４ｂは、外箱部Ｂにおける片部２２６を押し込むことができるための空間として形成されていて、片部２２６を押し込む際の支障とならないように、開口部２４ｂは、片部２２６よりも大きく形成され、側面視において、片部２２６が開口部２４ｂよりはみ出すことがない。
【００２６】
また、側面部３０は、正面部１０の正面視における左側の端部から折れ線Ｃ２を介して連設され、方形状における上側の一部を切り欠いた形状を呈し、背面側の端部においては、背面部４０の上端の縁部の高さと同じに形成されている。この側面部３０は、本体部（第１本体部）３２と、分離部（第１分離部）３４とを有している。
【００２７】
この側面部３０の構成は、内箱部Ａ１の組立て状態では、側面部２０と前後方向に垂直な仮想的な平面である中心面を介して、分離部の形状が異なる点と側面部２０と異なり開口部が形成されていない点を除き対称に形成されている。
【００２８】
すなわち、分離部３４は、切目線（第１切目線）３４ａにより区画された領域であり、切目線３４ａは、横方向に間隔を介して設けられた円弧状の切目線３４ａ−１、３４ａ−２と、切目線３４ａ−１の下端と３４ａ−２の下端を結ぶ横方向（側面部３０の下辺と平行な方向）の直線状の切目線３４ａ−３と、切目線３４ａ−１の上端から上方に縦方向に形成された切目線３４ａ−４と、切目線３４ａ−２の上端から上方に縦方向に形成された切目線３４ａ−５と、切目線３４ａ−４の上端と切目線３４ａ−５の上端とを結ぶ横方向の切目線３４ａ−６とを有している。切目線３４ａにより囲まれた領域が分離部３４となる。本体部３２は、側面部３０において分離部３４を除いた領域である。分離部３４は、側面部３０における横方向の略中央で上下方向における中央やや下側の位置に形成されている。
【００２９】
分離部３４は、内箱部Ａ２の側面部１３０の外側の面に接着されていて、分離部３４が側面部１３０に接着されていることにより、内箱部Ａ１と内箱部Ａ２とが連結されている。
【００３０】
また、背面部４０は、側面部２０の右側面視における右端から折れ線Ｃ４を介して連設され、全体には方形状を呈している。この背面部４０の横幅は、正面部１０の横幅と同一に形成され、背面部４０の縦幅（最大縦幅）は、側面部２０、３０の縦幅（最大縦幅）と同一に形成されている。
【００３１】
背面部４０は、本体部（第４本体部）４２と、分離部（第４分離部）４４とを有している。分離部４４は、円形状の切目線（第６切目線）４４ａにより区画された領域であり、本体部４２は、背面部４０において分離部４４を除いた領域である。分離部４４は、背面部４０における横方向の略中央で上下方向における略中央位置に形成されている。
【００３２】
分離部４４は、内箱部Ａ２の背面部１４０の外側の面に接着されていて、分離部４４が背面部１４０に接着されることにより、内箱部群Ａの折り畳み状態が維持され、特に、２つの内箱部が設けられているにも拘わらず、内箱部群Ａが折り畳まれた状態を維持させておくことができる。
【００３３】
また、糊代部４９は、側面部３０の左側面視における左端から折れ線Ｃ１を介して連設され、縦方向に細長の帯状台形形状を呈している。この糊代部４９は、その外側の面が背面部４０の内側の面に接着されている。
【００３４】
また、底面部５０は、第１片部（第１底面部第１片部）６０と、第２片部（第１底面部第２片部）７０と、第３片部（第１底面部第３片部）８０と、第４片部（第１底面部第４片部）９０とを有し、包装箱Ｐの組立て状態においては、図５に示すように、略方形状の外形を呈している。
【００３５】
ここで、第１片部６０は、正面部１０の下端から折れ線を介して連設され、先端側にいくほど幅狭となる略台形形状に形成され、その上面の一部が内箱部Ａ１の内底面の一部を形成している。この第１片部６０は、底面部５０の組立て状態においては、第４片部９０と点対称に形成されている。
【００３６】
また、第２片部７０は、側面部２０の下端から折れ線を介して連設され、略長方形状に形成され、第２片部７０の上面の一部が内箱部Ａ１の内底面の一部を形成している。また、第２片部７０の角部（側面部２０と背面部４０の境界位置の下端）からは第２片部７０の正面部１０との境界をなす辺部に対して斜めに所定間隔で切込みが形成された（つまり、折曲しやすいように切込みが形成されている）折れ線７０−１（この折れ線７０−１は、上面側が山折れ線となっている）が形成され、内箱部Ａ１を折り畳む際に、容易に折り畳むことができるようになっている。第２片部７０は、折れ線７０−１を介して本体部７２と先端部７４とに区画される。本体部７２の先端の先端部７４側には、他方の本体部８２と互いに係止するように切欠部７２ａが形成されている。先端部７４の上面は、第４片部９０の下面に接着されている。
【００３７】
また、第３片部８０は、側面部３０の下端から折れ線を介して連設され、底面部５０の組立て状態においては、第２片部７０と点対称に形成されている。すなわち、第３片部８０は、背面部４０の下端から折れ線を介して連設され、略長方形状に形成され、第３片部８０の上面の一部が内箱部Ａ１の内底面の一部を形成している。また、第３片部８０の角部（正面部１０と側面部３０の境界位置の下端）からは第３片部８０の側面部３０との境界をなす辺部に対して斜めに所定間隔で切込みが形成された（つまり、折曲しやすいように切込みが形成されている）折れ線８０−１（この折れ線８０−１は、上面側が山折れ線となっている）が形成され、内箱部Ａ１を折り畳む際に、容易に折り畳むことができるようになっている。第３片部８０は、折れ線８０−１を介して本体部８２と先端部８４とに区画される。本体部８２の先端の先端部８４側には、他方の本体部７２と互いに係止するように切欠部８２ａが形成されている。先端部８４の上面は、第１片部６０の下面に接着されている。
【００３８】
また、第４片部９０は、背面部４０の下端から折れ線を介して連設され、先端側にいくほど幅狭となる略台形形状に形成され、その上面の一部が内箱部Ａ１の内底面の一部を形成している。
【００３９】
以上のように、底面部５０において、隣接する２つの片部（第１片部６０と第３片部８０）である第１片部対の一方における他方の側の部分である先端部（第１端部領域）８４が折れ線を介して折曲げ可能であり、該先端部８４が第１片部６０に接着され、他の隣接する２つの片部（第２片部７０と第４片部９０）である第２片部対の一方における他方の側の部分である先端部（第２端部領域）７４が折れ線を介して折曲げ可能であり、該先端部７４が第４片部９０に接着されている。
【００４０】
内箱部Ａ２は、図６、図７に示すように、展開状態において、内箱部Ａ１と略左右対称に形成されていて、内箱部Ａ１における分離部３４と分離部４４の構成が設けられていない点を除き、内箱部Ａ１と左右対称に形成されている。箱状の組立て状態においても、内箱部Ａ２は、上記の点を除き、内箱部Ａ１と左右対称に形成されている。
【００４１】
すなわち、内箱部Ａ２は、全体に上部が開口した容器状を呈し、図３、図７等に示すように、スリーブ状部（第２内側スリーブ状部）１０５と、底面部（第２底面部）１５０とを有している。スリーブ状部１０５は、組立て状態では、底面部１５０の周囲から立設して形成され、正面部（第２内側正面部）１１０と、側面部（第２内側左側面部）１２０と、側面部（第２内側右側面部）１３０と、背面部（第２内側背面部）１４０と、糊代部１４９とを有していて、その展開状態は、図７に示すように形成されている。
【００４２】
ここで、正面部１１０は、方形状の上側に方形状の切欠部を形成した、いわゆる凹形状を呈している。正面部１１０の外形は、正面部１０の外形と同一に形成されている。
【００４３】
また、側面部１２０は、正面部１１０の正面視における左側面側の端部から折れ線Ｃ１３を介して連設され、方形状における上側の一部を切り欠いた形状を呈し、側面部１２０の上辺は、正面部１１０の上辺１１０ａから連続して水平方向に形成された直線状の辺部１２０ａと、辺部１２０ａの背面側の端部から連設され、背面側に上方に傾斜して形成された直線状の辺部１２０ｂと、辺部１２０ｂの上端から背面側に向けて円弧状に形成された辺部１２０ｃと、辺部１２０ｃの背面側の端部から水平方向に形成された直線状の辺部１２０ｄとを有している。この辺部１２０ｄは、背面部１４０の上端の縁部の高さと同じに形成されている。この側面部１２０は、本体部（第３本体部）１２２と、分離部（第３分離部）１２４とを有している。なお、側面部１２０の横方向の長さは、側面部２０の横方向の長さと同一に形成されている。
【００４４】
また、分離部１２４は、側面部２０に形成された切目線（第３切目線）１２４ａと開口部１２４ｂにより区画された領域であり、切目線１２４ａは、横方向に間隔を介して設けられた円弧状の切目線１２４ａ−１、１２４ａ−２と、切目線１２４ａ−１の下端と１２４ａ−２の下端を結ぶ横方向（側面部１２０の下辺と平行な方向）の直線状の切目線１２４ａ−３とを有し、開口部１２４ｂは、横長の長方形状を呈し、開口部１２４ｂにおける一対の角部のうちの正面側の角部と切目線１２４ａ−２が接続し、開口部１２４ｂにおける一対の角部のうちの背面側の角部と切目線１２４ａ−１が接続している。切目線１２４ａと開口部１２４ｂにより囲まれた領域が分離部１２４となる。本体部１２２は、側面部１２０において分離部２４を除いた領域である。分離部１２４は、側面部１２０における横方向の略中央で上下方向における中央やや下側の位置に形成されている。
【００４５】
この分離部１２４の形成位置は、外箱部Ｂの片部２３４の裏側の領域であり、分離部１２４は片部２３４の裏側に接着され、片部２３４の上端を外側かつ下方に回動させることにより、分離部１２４も片部２３４の裏側に接着したまま切目線１２４ａが破断されて、分離部１２４が本体部１２２から分離するように形成されている。分離部１２４は、片部２３４よりも小さく形成されていて、分離部１２４の外形が片部２３４の外形よりもはみ出すことがない。
【００４６】
また、開口部１２４ｂは、外箱部Ｂにおける片部２３６を押し込むことができるための空間として形成されていて、片部２３６を押し込む際の支障とならないように、開口部１２４ｂは、片部２３６よりも大きく形成され、側面視において、片部２３６が開口部１２４ｂよりはみ出すことがない。
【００４７】
また、側面部１３０は、正面部１０の正面視における左側の端部から折れ線Ｃ１２を介して連設され、方形状における上側の一部を切り欠いた形状を呈し、背面側の端部においては、背面部１４０の上端の縁部の高さと同じに形成されている。
【００４８】
この側面部１３０の構成は、内箱部Ａ２の組立て状態では、側面部１２０と前後方向に垂直な仮想的な平面である中心面を介して、分離部と開口部が設けられていない点を除き対称に形成されている。
【００４９】
また、背面部１４０は、側面部１２０の左側面視における左端から折れ線を介して連設され、全体には方形状を呈している。この背面部１４０の横幅は、正面部１１０の横幅と同一に形成され、背面部１４０の縦幅（最大縦幅）は、側面部１２０、１３０の縦幅（最大縦幅）と同一に形成されている。なお、背面部１４０の外形は、背面部４０の外形と同一に形成されている。
【００５０】
また、糊代部１４９は、側面部１３０の右側面視における右端から折れ線Ｃ１１を介して連設され、縦方向に細長の帯状台形形状を呈している。この糊代部１４９は、その外側の面が背面部４０の内側の面に接着されている。
【００５１】
また、底面部１５０は、第１片部（第２底面部第１片部）１６０と、第２片部（第２底面部第２片部）１７０と、第３片部（第２底面部第３片部）１８０と、第４片部（第２底面部第４片部）１９０とを有し、包装箱Ｐの組立て状態においては、図５に示すように、略方形状の外形を呈している。
【００５２】
ここで、第１片部１６０は、正面部１１０の下端から折れ線を介して連設され、先端側にいくほど幅狭となる略台形形状に形成され、その上面の一部が内箱部Ａ２の内底面の一部を形成している。この第１片部１６０は、底面部１５０の組立て状態においては、第４片部１９０と点対称に形成されている。
【００５３】
また、第２片部１７０は、側面部１２０の下端から折れ線を介して連設され、略長方形状に形成され、第２片部１７０の上面の一部が内箱部Ａ２の内底面の一部を形成している。また、第２片部１７０の角部（側面部１２０と背面部１４０の境界位置の下端）からは第２片部１７０の正面部１１０との境界をなす辺部に対して斜めに所定間隔で切込みが形成された（つまり、折曲しやすいように切込みが形成されている）折れ線１７０−１（この折れ線１７０−１は、上面側が山折れ線となっている）が形成され、内箱部Ａ２を折り畳む際に、容易に折り畳むことができるようになっている。第２片部１７０は、折れ線１７０−１を介して本体部１７２と先端部１７４とに区画される。本体部１７２の先端の先端部１７４側には、他方の本体部１８２と互いに係止するように切欠部１７２ａが形成されている。先端部１７４の上面は、第４片部１９０の下面に接着されている。
【００５４】
また、第３片部１８０は、側面部１３０の下端から折れ線を介して連設され、底面部１５０の組立て状態においては、第２片部１７０と点対称に形成されている。すなわち、第３片部１８０は、背面部１４０の下端から折れ線を介して連設され、略長方形状に形成され、第３片部１８０の上面の一部が内箱部Ａ２の内底面の一部を形成している。また、第３片部１８０の角部（正面部１１０と側面部１３０の境界位置の下端）からは第３片部１８０の側面部１３０との境界をなす辺部に対して斜めに所定間隔で切込みが形成された（つまり、折曲しやすいように切込みが形成されている）折れ線１８０−１（この折れ線１８０−１は、上面側が山折れ線となっている）が形成され、内箱部Ａ２を折り畳む際に、容易に折り畳むことができるようになっている。第３片部１８０は、折れ線１８０−１を介して本体部１８２と先端部１８４とに区画される。本体部１８２の先端の先端部１８４側には、他方の本体部１７２と互いに係止するように切欠部１８２ａが形成されている。先端部１８４の上面は、第１片部１６０の下面に接着されている。
【００５５】
また、第４片部１９０は、背面部１４０の下端から折れ線を介して連設され、先端側にいくほど幅狭となる略台形形状に形成され、その上面の一部が内箱部Ａ２の内底面の一部を形成している。
【００５６】
以上のように、底面部１５０において、隣接する２つの片部（第１片部１６０と第３片部１８０）である第１片部対の一方における他方の側の部分である先端部（第１端部領域）１８４が折れ線を介して折曲げ可能であり、該先端部１８４が第１片部１６０に接着され、他の隣接する２つの片部（第２片部１７０と第４片部１９０）である第２片部対の一方における他方の側の部分である先端部（第２端部領域）１７４が折れ線を介して折曲げ可能であり、該先端部１７４が第４片部１９０に接着されている。
【００５７】
内箱部群Ａを箱状に組み立てた状態では、内箱部Ａ１においては、正面部１０と背面部４０とが互いに平行になり、側面部２０と側面部３０とが互いに平行になり、底面部５０を構成する各部材は、正面部１０、側面部２０、３０、背面部４０に対して略直角（直角でもよい）となる。つまり、スリーブ状部５は、底面部５０に対して略直角（直角でもよい）となる。また、スリーブ状部５を構成する各部材（正面部１０、側面部２０、３０、背面部４０）における隣接する部材は互いに直角となっている。また、内箱部Ａ２においても、正面部１１０と背面部１４０とが互いに平行になり、側面部１２０と側面部１３０とが互いに平行になり、底面部１５０を構成する各部材は、正面部１１０、側面部１２０、１３０、背面部１４０に対して略直角（直角でもよい）となる。つまり、スリーブ状部１０５は、底面部１５０に対して略直角（直角でもよい）となる。また、スリーブ状部１０５を構成する各部材（正面部１１０、側面部１２０、１３０、背面部１４０）における隣接する部材は互いに直角となっている。また、内箱部Ａ１の側面部３０と内箱部Ａ２の側面部１３０は、互いに重なり合っている。
【００５８】
また、内箱部群Ａは、平板状に折り畳むことができ、内箱部Ａ１においては、正面部１０と側面部３０との角度を小さくし（つまり、直角より小さくする）、背面部４０と側面部２０との角度を小さくさせる（つまり、直角より小さくする）ことにより、四角筒状のスリーブ状部５が扁平になるとともに、底面部５０を構成する各部がスリーブ状部５内に回動して、内箱部Ａ１が全体に平板状に折り畳むことができ、また、内箱部Ａ２においては、正面部１１０と側面部１２０との角度を小さくし（つまり、直角より小さくする）、背面部１４０と側面部１３０との角度を小さくさせる（つまり、直角より小さくする）ことにより、四角筒状のスリーブ状部１０５が扁平になるとともに、底面部１５０を構成する各部がスリーブ状部１０５内に回動して、内箱部Ａ２が全体に平板状に折り畳むことができ、図１０、図１１に示すように、内箱部群Ａが全体に平板状に折り畳むことができる。また、内箱部群Ａを折り畳んだ状態では、内箱部Ａ１においては、底面部５０を構成する各部は、スリーブ状部５内にスリーブ状部５を構成する正面部１０、側面部２０、３０、背面部４０に対して略平行な状態となり、内箱部Ａ２においては、底面部１５０を構成する各部は、スリーブ状部１０５内にスリーブ状部１０５を構成する正面部１１０、側面部１２０、１３０、背面部１４０に対して略平行な状態となる。また、側面部２０、１２０は、側面部３０、１３０に対して背面側にスライドした状態となり、背面部４０と背面部１４０が対向した状態となる。
【００５９】
次に、外箱部Ｂは、内箱部Ａ１を覆う箱体であり、図１〜図４、図８等に示すように、スリーブ状部（外側スリーブ状部）２０５と、上面部２６０、２７０、２８０、２９０とを有していて、その展開状態は、図８に示すように形成されている。
【００６０】
ここで、スリーブ状部２０５は、組み立てた状態では、四角形状の筒状を呈し、正面部（外側正面部）２１０と、側面部（外側右側面部）２２０と、側面部（外側左側面部）２３０と、背面部（外側背面部）２４０とを有している。
【００６１】
ここで、正面部２１０は、方形状（長方形状）の板状を呈している。この正面部２１０の横幅は、内箱部群Ａを外箱部Ｂ内に収納することができるように、内箱部群Ａの左右方向の幅（正面部１０の横幅と正面部１１０の横幅とを加算した幅）よりも若干大きく形成されている。
【００６２】
また、正面部２１０には、縦方向に折れ線Ｃ２５−１と、折れ線Ｃ２５−１の下端から連設された切込みＫ２１０が形成されている。すなわち、包装箱Ｐの折り畳み状態では、正面部２１０は二つ折りされるので、折れ線Ｃ２５−１が形成され、また、外箱部Ｂを内箱部群Ａから分離する際に、外箱部Ｂを上方に移動させやすくするために切込みＫ２１０が形成されている。折れ線Ｃ２５−１は、正面部２１０の左右方向の中心位置において、正面部２１０の上端から上下方向の略中央位置まで縦方向（正面部２１０の上辺や下辺に対して直角の方向）に形成されている。また、切込みＫ２１０は、折れ線Ｃ２５−１の下端から折れ線Ｃ２５−１の延長線上に直線状に形成され、正面部２１０の下端にまで形成されている。正面部２１０における折れ線Ｃ２５−１及び切込みＫ２１０を介した側面部２２０側が第１正面構成部２１０−１となり、折れ線Ｃ２５−１及び切込みＫ２１０を介した側面部２３０側が第２正面構成部２１０−２となる。
【００６３】
また、側面部２２０は、正面部１１０の正面視における右側の端部から折れ線Ｃ２１を介して連設され、方形状を呈し、切目線（第４切目線）２２２と切目線２２４ａ、２２４ｂが形成されている。
【００６４】
ここで、切目線２２２は、ミシン目状の切込み（間隔をおきながら形成された切込み）（切断予定線）により形成され、横方向に間隔を介して設けられた円弧状の切目線２２２ａ、２２２ｃと、切目線２２２ａの上端と２２２ｃの上端を結ぶ横方向（側面部２２０の下辺と平行な方向）の直線状の切目線２２２ｂとを有し、全体に下向きの略コ字状を呈している。切目線２２２と、切目線２２２ａ及び切目線２２２ｃの切目線２２２ｂ側とは反対側の端部間を結ぶ折れ線Ｃ２２４により囲まれた領域が、片部（第１片部）２２４となる。
【００６５】
また、切目線２２２ｂの一方の端部から他方の端部までに途中位置には、切目線２２２ａや切目線２２２ｃが設けられている側とは反対側に、縦方向（切目線２２２ｂと直角方向）に互いに平行な切目線２２４ａ、２２４ｂが形成されている。つまり、切目線２２４ａと切目線２２４ｂは、互いに平行に形成され、連続した切込みにより形成されている。また、切目線２２４ａは、切目線２２２ａよりも内側（横方向の内側）に形成され、切目線２２４ｂは、切目線２２２ｃよりも内側（横方向の内側）に形成されている。以上のように、切目線２２４ａと、切目線２２４ｂと、切目線２２２ｂと、切目線２２４ａ及び切目線２２４ｂの切目線２２２ｂ側とは反対側の端部間を結ぶ直線状の折れ線Ｃ２２６により囲まれた領域が、片部２２６となる。この側面部２２０の横幅は、内箱部群Ａを外箱部Ｂ内に収納することができるように、側面部２０の横幅よりも若干大きく形成されている。
【００６６】
また、側面部２３０は、正面部２１０の正面視における左側の端部から折れ線Ｃ２２を介して連設され、方形状を呈し、切目線（第５切目線）２３２と切目線２３４ａ、２３４ｂが形成されている。
【００６７】
この側面部２３０の構成は、側面部２２０と前後方向に垂直な仮想的な平面である中心面を介して対称に形成されていて、切目線２３２は、切目線２２２と対称に形成され、横方向に間隔を介して設けられた円弧状の切目線２３２ａ、２３２ｃと、切目線２３２ａの上端と２３２ｃの上端を結ぶ横方向（側面部２３０の下辺と平行な方向）の直線状の切目線２３２ｂとを有し、全体に下向きの略コ字状を呈している。切目線２３２と、切目線２３２ａ及び切目線２３２ｃの切目線２３２ｂ側とは反対側の端部間を結ぶ折れ線Ｃ２３４により囲まれた領域が、片部（第２片部）２３４となる。
【００６８】
また、切目線２３２ｂの一方の端部から他方の端部までに途中位置には、切目線２３２ａや切目線２３２ｃが設けられている側とは反対側に、縦方向（切目線２３２ｂと直角方向）に互いに平行な切目線２３４ａ、２３４ｂが形成されている。つまり、切目線２３４ａと切目線２３４ｂは、互いに平行に形成され、連続した切込みにより形成されている。また、切目線２３４ａは、切目線２３２ａよりも内側（横方向の内側）に形成され、切目線２３４ｂは、切目線２３２ｃよりも内側（横方向の内側）に形成されている。以上のように、切目線２３４ａと、切目線２３４ｂと、切目線２３２ｂと、切目線２３４ａ及び切目線２３４ｂの切目線２３２ｂ側とは反対側の端部間を結ぶ直線状の折れ線Ｃ２３６により囲まれた領域が、片部２３６となる。この側面部２３０の横幅は、内箱部群Ａを外箱部Ｂ内に収納することができるように、側面部３０の横幅よりも若干大きく形成されていて、側面部２２０の横幅と同一に形成されている。
【００６９】
また、背面部２４０は、側面部２３０の左側面視における左端から折れ線Ｃ２３を介して連設され、方形状を呈している。この背面部１４０の横幅は、正面部２１０の横幅と同一に形成され、内箱部群Ａを外箱部Ｂ内に収納することができるように、内箱部群Ａの左右方向の幅（正面部１０の横幅と正面部１１０の横幅とを加算した幅）よりも若干大きく形成されている。
【００７０】
また、背面部２４０には、縦方向に折れ線Ｃ２６−１が形成されている。すなわち、包装箱Ｐの折り畳み状態では、背面部２４０は二つ折りされるので、折れ線Ｃ２６−１が形成されている。折れ線Ｃ２６−１は、背面部２４０の左右方向の中心位置において、背面部２４０の上端から下端まで縦方向（正面部２１０の上辺や下辺に対して直角の方向）に形成されている。背面部２４０における折れ線Ｃ２６−１を介した側面部２２０側が第１背面構成部２４０−１となり、折れ線Ｃ２６−１を介した側面部２３０側が第２背面構成部２４０−２となる。
【００７１】
また、糊代部２４２は、背面部２４０の背面視における左端から折れ線Ｃ２４を介して連設され、縦方向に細長の帯状台形形状を呈している。この糊代部２４２は、図１、図３に示すように、その内側の面が側面部２２０の外側の面に接着されている。
【００７２】
また、正面部２１０と側面部２２０、２３０と背面部２４０の縦幅は同一に形成されていて、内箱部Ａ１の縦幅と同一又は若干大きく形成されている。すなわち、外箱部Ｂのスリーブ状部２０５の縦方向の長さは、内箱部Ａ１のスリーブ状部５の縦方向の長さ（最大長さ）や内箱部Ａ２のスリーブ状部１０５の縦方向の長さ（最大長さ）と同一又は若干長く形成されている。
【００７３】
また、上面部（第１上面部）２６０は、正面部２１０の上端から折れ線を介して連設され、方形状（長方形状）を呈している。なお、上面部２６０には、折れ線Ｃ２５−１から連設された折れ線Ｃ２５−２が形成され、折れ線Ｃ２５−２を介して第１上面構成部２６０−１と第２上面構成部２６０−２に区画されている。つまり、折れ線Ｃ２５−２は、外箱部Ｂの展開状態においては、折れ線Ｃ２５−１の延長線上に形成され、正面部２１０の上辺に対して直角方向に形成されている。
【００７４】
また、上面部２７０は、側面部２２０の上端から折れ線を介して連設され、方形状（長方形状）を呈している。なお、外箱部Ｂの展開状態において、この上面部２７０と上面部２６０との間には隙間Ｋ２２４が形成されている。
【００７５】
また、上面部２８０は、側面部２３０の上端から折れ線を介して連設され、方形状（長方形状）を呈している。なお、外箱部Ｂの展開状態において、この上面部２８０と上面部２６０との間には隙間Ｋ２２６が形成されている。
【００７６】
また、上面部（第２上面部）２９０は、背面部２４０の上端から折れ線を介して連設され、方形状（長方形状）を呈している。外箱部Ｂの展開状態において、この上面部２９０と上面部２８０との間には隙間Ｋ２２８が形成されている。なお、上面部２９０には、折れ線Ｃ２６−１から連設された折れ線Ｃ２６−２が形成され、折れ線Ｃ２６−２を介して第１上面構成部２９０−１と第２上面構成部２９０−２に区画されている。つまり、折れ線Ｃ２６−２は、外箱部Ｂの展開状態においては、折れ線Ｃ２６−１の延長線上に形成され、背面部２４０の上辺に対して直角方向に形成されている。
【００７７】
これら４つの上面部２６０〜２９０は、外箱部Ｂの上面を開閉するものであり、特に、上面部２６０と上面部２９０を閉状態とすることにより外箱部Ｂの上面が塞がれる。つまり、上面部２６０〜２９０は、蓋部を構成する。なお、上面部２６０〜２９０は、予め上方に立設した状態になっていて、外箱部Ｂの上方が開口した状態になっている。なお、蓋部としての上面部２６０〜２９０はスリーブ状部２０５の上端の各辺から連設されているが、少なくとも１つの上面部から連設されていればよい。
【００７８】
外箱部Ｂを箱状に組み立てた状態では、正面部２１０と背面部２４０とが互いに平行になり、側面部２２０と側面部２３０とが互いに平行になる。また、スリーブ状部２０５を構成する各部材（正面部２１０、側面部２２０、２３０、背面部２４０）における隣接する部材は互いに直角となっている。
【００７９】
次に、内箱部群Ａと外箱部Ｂとは、分離部２４、１２４の箇所で互いに接着されている。つまり、分離部２４の外側の面と側面部２２０（特に、片部２２４）の内側の面とが接着剤その他の接着手段により接着されるとともに、分離部１２４の外側の面と側面部２３０（特に、片部２３４）の内側の面とが接着剤その他の接着手段により接着されることにより、包装箱Ｐが全体に一体に形成される。つまり、分離部２４の外側の面の全部又は一部の領域と側面部２２０の内側の面の間には接着剤層（図示せず）が設けられていて、同様に、分離部１２４の外側の面の全部又は一部の領域と側面部２３０の内側の面の間には接着剤層（図示せず）が設けられている。これにより、外箱部Ｂのスリーブ状部１０５は、内箱部群Ａにおけるスリーブ状部５及びスリーブ状部１０５の外側の面に沿って設けられ、例えば、正面部１０及び正面部１１０の外側の面に沿って正面部２１０が設けられ、側面部２０の外側の面に沿って側面部２２０が設けられ、側面部１３０の外側の面に沿って側面部２３０が設けられ、背面部４０及び背面部１４０の外側の面に沿って背面部２４０が設けられている。該接着剤層の接着力は、外箱部Ｂの片部２２４を外側に回動させた際に、同時に分離部２４の周囲の切目線２４ａが破れて、分離部２４が内箱部Ａ１から分離し、回動させた片部２２４に接着した状態で片部２２４に従動するように設定されていて、同様に、外箱部Ｂの片部２３４を外側に回動させた際に、同時に分離部１２４の周囲の切目線１２４ａが破れて、分離部１２４が内箱部Ａ２から分離し、回動させた片部２３４に接着した状態で片部２３４に従動するように設定されている。
【００８０】
また、内箱部Ａ１と内箱部Ａ２とは、分離部３４を介して接着されている。つまり、分離部３４の外側の面の全部又は一部の領域と側面部１３０の外側の面の間には接着剤層（図示せず）が設けられている。
【００８１】
さらに、内箱部Ａ１と内箱部Ａ２とは、分離部４４を介して接着されてる。つまり、分離部４４の外側の面の全部又は一部の領域と背面部１４０の外側の面の間には接着剤層（図示せず）が設けられている。これにより、内箱部群Ａは折り畳まれた状態で維持される。
【００８２】
また、内箱部群Ａと外箱部Ｂとが接着された状態では、内箱部Ａ１の下端と内箱部Ａ２の下端と外箱部Ｂの下端とが同じ高さになるように形成されている。なお、内箱部群Ａと外箱部Ｂとは、分離部２４、１２４の箇所以外は互いに接着されていない。
【００８３】
以上のように、内箱部群Ａは外箱部Ｂの内側に収納した状態となっていて、内箱部Ａ１の底面部５０及び内箱部Ａ２の底面部１５０以外は外箱部Ｂに被覆された状態となっている。つまり、外箱部Ｂの下端の高さ方向の位置は、内箱部群Ａの下端の高さ方向の位置と略同一であり、上面部２６０〜２９０を封止した状態では内箱部群Ａにおいては底面部５０、１５０のみが露出している。
【００８４】
なお、上記構成の包装箱Ｐは、内箱部Ａ１及び内箱部Ａ２が上記のように折り畳むことができ、また、外箱部Ｂがスリーブ状部１０５を有するとともに、正面部２１０に折れ線Ｃ２５−１が設けられ、上面部２６０に折れ線Ｃ２５−２が設けられ、背面部２４０に折れ線Ｃ２６−１が設けられ、上面部２９０に折れ線Ｃ２６−２が設けられているので、包装箱Ｐの状態においても、図９に示すように平板状に折り畳むことができ、正面部２１０を折れ線Ｃ２５−１を介して折曲して第１正面構成部２１０−１を第２正面構成部２１０−２と略平行になるようにするとともに、上面部２６０を折れ線Ｃ２５−２を介して折曲して第１上面構成部２６０−１と第２上面構成部２６０−２が略平行になるようにし、かつ、背面部２４０を折れ線Ｃ２６−１を介して折曲して第１背面構成部２４０−１を第２背面構成部２４０−２と略平行になるようにするとともに、上面部２９０を折れ線Ｃ２６−２を介して折曲して第１上面構成部２９０−１と第２上面構成部２９０−２が略平行になるようにすることにより、図９に示すように平板状に折り畳むことができる。特に、初期状態においては、分離部４４を介して背面部４０と背面部１４０とは接着されているので、包装箱Ｐは折り畳まれた状態となっている。
【００８５】
なお、上記内箱部Ａ１、Ａ２及び外箱部Ｂにおいて、各折れ線の箇所には、予め罫線が形成されている。
【００８６】
上記構成の包装箱Ｐの使用状態について説明する。包装箱Ｐにおいては、分離部４４を本体部４２から分離する前の状態では、分離部４４を介して背面部４０と背面部１４０とが接着されていて、包装箱Ｐは折り畳まれた状態となっているので、包装箱Ｐを使用しない場合には、折り畳んだ状態で保管しておく。
【００８７】
そして、包装箱Ｐを使用する際に、包装箱Ｐを組み立てる。すなわち、外箱部Ｂにおいて、折れ線Ｃ２５−１を介して折曲していた正面部２１０を平板状にするとともに、折れ線Ｃ２６−１を介して折曲していた背面部２４０を平板状にして、正面部２１０と背面部２４０とが互いに平行になり、側面部２２０と側面部２３０とが互いに平行になるようにすることにより、内箱部Ａ１におけるスリーブ状部５が四角柱状になるとともに底面部５０がスリーブ状部５と直角な略平板状となり、内箱部Ａ２におけるスリーブ状部１０５が四角柱状になるとともに底面部１５０がスリーブ状部１０５と直角な略平板状となって、包装箱Ｐが立体状に組み立てられる。つまり、包装箱Ｐは、図１、図２に示す状態となる。
【００８８】
なお、背面部４０と背面部１４０とは、分離部４４を介して接着されているが、内箱部群Ａを組み立てる際に、背面部４０と背面部１４０を離すことにより、分離部４４の周囲の切目線が破断して分離部４４が本体部４２から分離し、分離部４４は、背面部１４０に接着したままとなる。
【００８９】
そして、図１２に示すように、包装箱Ｐの上方から複数の被収納物（商品）Ｇを内箱部Ａ１と内箱部Ａ２内に収納する。なお、上面部２６０〜２９０は、予め上方に立設した状態になっていて、外箱部Ｂの上方が開口した状態になっているので、被収納物Ｇはそのまま包装箱Ｐの上方から収納すればよい。その後、上面部２６０〜２９０を閉状態にして、接着テープＴを外箱部Ｂの側面部２２０から上面を経て側面部２３０側にまで接着させることにより、図１３に示すように、上面部２６０〜２９０を封止する。
【００９０】
以上のようにして、被収納物を包装箱Ｐに包装したら、被収納物Ｇを収納した包装箱Ｐを被収納物Ｇを陳列する場所に搬送する。
【００９１】
その後、被収納物を陳列する場合には、外箱部Ｂを内箱部群Ａから分離する。すなわち、図１４に示すように、外箱部Ｂの側面部２２０の片部２２６を内側に押し込むことにより片部２２４の先端に指を引っかけることができるようにした後に、片部２２４を外側に回動させる。つまり、折れ線Ｃ２２４が回動軸となって片部２２４が上下方向に回動する。
【００９２】
同様に、外箱部Ｂの側面部２３０の片部２３６を内側に押し込むことにより片部２３４の先端に指を引っかけることができるようにした後に、片部２３４を外側に回動させる。つまり、折れ線Ｃ２３４が回動軸となって片部２３４が水平方向に回動する。なお、片部２２４、２３４が回動する際の回動軸となる折れ線Ｃ２２４、Ｃ２３４の箇所には、罫線を形成しておかなくても片部２２４、２３４を回動させることにより自然と折れ線が形成されるが、予め該折れ線の箇所に罫線を形成しておいてもよい。
【００９３】
すると、外箱部Ｂの片部２２４を外側に回動させた際に、同時に分離部２４の周囲の切目線２４ａが破れて、分離部２４が内箱部Ａ１（具体的には、本体部２２）から分離し、回動させた片部２２４に接着した状態で片部２２４に従動する。同様に、外箱部Ｂの片部２３４を外側に回動させた際に、同時に分離部１２４の下側の切目線１２４ａが破れて、分離部１２４が内箱部Ａ１（具体的には、本体部１２２）から分離し、回動させた片部２３４に接着した状態で片部２３４に従動する。
【００９４】
そして、図１５に示すように、外箱部Ｂを上方に引き上げることにより、被収納物を収納した状態で、かつ、分離部２４、１２４が分離した状態の内箱部群Ａが残る。なお、図１５においては、内箱部群Ａの状態を分かりやすくするために商品Ｇを二点鎖線により記載している。
【００９５】
次に、内箱部群Ａにおける内箱部Ａ１と内箱部Ａ２とを分離する。すなわち、内箱部Ａ１と内箱部Ａ２とを離すように操作することにより、分離部３４の周囲の切目線３４ａが破断して、分離部３４が本体部３２から分離し、図１６に示すように、内箱部Ａ１と内箱部Ａ２とが分離するので、内箱部Ａ１と内箱部Ａ２を異なる陳列場所に陳列することができる。なお、分離部３４は、側面部１３０に接着したままとなっている。このように、分離部３４の周囲の切目線３４ａを破断するのみで内箱部Ａ１と内箱部Ａ２とを分離できるので、容易に分離することができる。
【００９６】
以上のように、本実施例の包装箱Ｐによれば、底面部と、内側スリーブ状部を有する内箱部で、内側スリーブ状部の側面部の一部が分離部として他の部分と切目線を介して分離可能な内箱部と、内箱部を覆う外箱部で、外側スリーブ状部と、蓋部とを有し、分離部が設けられた内側側面部に対応した外側側面部に分離部が接着されている外箱部と、を有する包装箱であって、外箱部内に２つの内箱部が設けられているので、２つの内箱部を同時に収納することができ、輸送費を軽減することができ、さらには、包装箱としても１つでよいので、包装箱のコストも低減することができる。
【００９７】
また、本実施例の包装箱は２つの内箱部を有する構成であるにも拘わらず、平板状に折り畳むことができ、包装箱自体の保管や運搬に際して省スペースを図ることができる。特に、分離部４４が背面部１４０に接着した構成とすることにより、当初の折り畳み状態を維持させておくことができ、２つの内箱部が設けられていても、折り畳み状態を維持させておくことができる。
【００９８】
また、本実施例の包装箱Ｐによれば、図１や図２に示すように、上方が開口した包装箱Ｐに対して上方から被収納物である商品を収納して、上面部２６０〜２９０を閉じて１つの接着テープＴにより封止するのみであるので、容易に被収納物（商品）の梱包作業を行うことができる。
【００９９】
また、被収納物の陳列状態においては、内箱部Ａ１における正面部１０の高さ方向の長さは、背面部４０の高さ方向の長さよりも小さく形成されているので、正面部１０を正面側として陳列することにより被収納物をユーザから見やすくすることができる。同様に、内箱部Ａ２における正面部１１０の高さ方向の長さは、背面部１４０の高さ方向の長さよりも小さく形成されているので、正面部１１０を正面側として陳列することにより被収納物をユーザから見やすくすることができる。
【０１００】
なお、包装箱Ｐの折り畳み状態においては、内箱部Ａ１においては、正面部１０と側面部３０との角度を小さくし、背面部４０と側面部２０との角度を小さくさせることにより、四角筒状のスリーブ状部５が扁平になり、内箱部Ａ２においては、正面部１１０と側面部１２０との角度を小さくし、背面部１４０と側面部１３０との角度を小さくさせることにより、四角筒状のスリーブ状部１０５が扁平になるとしたが、内箱部Ａ１においては、正面部１０と側面部２０との角度を小さくし、背面部４０と側面部３０との角度を小さくさせることにより、四角筒状のスリーブ状部５が扁平になり、内箱部Ａ２においては、正面部１１０と側面部１３０との角度を小さくし、背面部１４０と側面部１２０との角度を小さくさせることにより、四角筒状のスリーブ状部１０５が扁平になるようにしてもよい。つまり、この場合には、側面部２０、１２０は、側面部３０、１３０に対して正面側にスライドした状態となり、正面部１０と正面部１１０とが対向した状態となる。よって、この場合には、分離部４４のような構成を設けるのは困難といえる。
【０１０１】
また、上記の説明において、外箱部Ｂにおける片部２２４、２３４の回動方向は上下方向である（つまり、回動軸は横方向に設けられている）としたが、これには限られず、例えば、片部２２４、２２６や片部２３４、２３６を９０度回転させた構成として、片部２２４、２３４の回動方向を水平方向とする（つまり、回動軸は縦方向に設けられている）構成としてもよい。
【０１０２】
また、内箱部Ａ１の側面部３０に分離部３４を設けたが、側面部３０の代わりに側面部１３０に分離部を設けて、該分離部を介して側面部３０と接着した構成としてもよい。また、内箱部Ａ１の背面部４０に分離部４４を設けたが、背面部４０の代わりに背面部１４０に分離部を設けて、該分離部を介して背面部４０と接着した構成としてもよい。
【０１０３】
また、外箱部Ｂにおいては、正面部１１０に切込みＫ２１０が設けられ、背面部１４０には切込みが設けられていない構成としたが、背面部１４０に切込みを設け、正面部１１０には切込みを設けない構成としてもよい。また、正面部１１０と背面部１４０の両方に切込みを設ける構成としてもよい。
【符号の説明】
【０１０４】
Ｐ 包装箱
Ａ１、Ａ２  内箱部
Ｂ  外箱部
５、１０５、２０５ スリーブ状部
１０、１１０、２１０ 正面部
２０、３０、１２０、１３０、２２０、２３０  側面部
２２、３２、４２、１２２  本体部
２４、３４、４４、１２４  分離部
４０、１４０、２４０  背面部
４９、１４９、２４２  糊代部
５０、１５０  底面部
６０、１６０  第１片部
７０、１７０  第２片部
８０、１８０  第３片部
９０、１９０  第４片部
２１０−１  第１正面構成部
２１０−２  第２正面構成部
２４０−１  第１背面構成部
２４０−２  第２背面構成部
２２４、２２６、２３４、２３６  片部
２６０、２７０、２８０、２９０  上面部
Ｃ１、Ｃ２、Ｃ３、Ｃ４、Ｃ１１、Ｃ１２、Ｃ１３、Ｃ１４、Ｃ２１、Ｃ２２、Ｃ２３、Ｃ２４、Ｃ２５−１、Ｃ２５−２、Ｃ２６−１、Ｃ２６−２  折れ線
Ｋ２１０  切込み
【図１】
0003190139.tif 000003
【図２】
0003190139.tif 000004
【図３】
0003190139.tif 000005
【図４】
0003190139.tif 000006
【図５】
0003190139.tif 000007
【図６】
0003190139.tif 000008
【図７】
0003190139.tif 000009
【図８】
0003190139.tif 000010
【図９】
0003190139.tif 000011
【図１０】
0003190139.tif 000012
【図１１】
0003190139.tif 000013
【図１２】
0003190139.tif 000014
【図１３】
0003190139.tif 000015
【図１４】
0003190139.tif 000016
【図１５】
0003190139.tif 000017
【図１６】
0003190139.tif 000018